(57)【要約】【課題】  シリンダ錠を鎖錠装置本体かハンドルかのどちらにでも取付けできる鎖錠装置を提供する。【解決手段】  ハンドル２を起伏して操作することにより解錠・鎖錠を行う鎖錠装置において、鎖錠装置本体１とこれに起伏自在に設けた前記ハンドル２との間にシリンダ錠を収納する錠収納空間４を設けて、該錠収納空間４のハンドル２側にはシリンダ錠５の鍵穴５１に臨む鍵挿通孔２１を設け、鎖錠装置本体１に取付けるタイプのシリンダ錠５を取り付ける取付部を鎖錠装置本体１に設けるとともに、ハンドル２に取付けるタイプのシリンダ錠を取り付ける取付部をハンドル２に設けて、ハンドル２に取付くタイプのシリンダ錠と鎖錠装置本体に取付くタイプのシリンダ錠のいずれか一方を対応する該取付部に取付けて、他方に設けた係止溝にシリンダ錠の鎖錠片を係脱できるものとする。【選択図】  図１
2006233694.tif 000002
【特許請求の範囲】
【請求項１】
ハンドルを起伏して操作することにより解錠・施錠を行う鎖錠装置において、鎖錠装置本体とこれに起伏自在に設けた前記ハンドルとの間にシリンダ錠を収納する錠収納空間を設けて、該錠収納空間のハンドル側にはシリンダ錠の鍵穴に臨む鍵挿通孔を設け、鎖錠装置本体に取付けるタイプのシリンダ錠を取り付ける取付部を鎖錠装置本体に設けるとともに、ハンドルに取付けるタイプのシリンダ錠を取り付ける取付部をハンドルに設けて、ハンドルに取付くタイプのシリンダ錠と鎖錠装置本体に取付くタイプのシリンダ錠のいずれか一方を対応する該取付部に取付けて、他方に設けた係止溝にシリンダ錠の鎖錠片を係脱できるものとした鎖錠装置。
【発明の詳細な説明】
【技術分野】
【０００１】
本発明は、ハンドルを起伏して操作することにより解錠・鎖錠を行う鎖錠装置に関するものである。
【背景技術】
【０００２】
ハンドルを起伏して操作することにより解錠・鎖錠を行う鎖錠装置は、部外者が間違って扉を開けて事故に遭うことの防止や悪戯対策等からシリンダ錠を組込んでハンドルが引き上げられないように施錠できるものが広く使用されている。
ところで、このような鎖錠装置で使用されるシリンダ錠には、図５（Ａ）に示すように、シリンダ錠のロータ上端周面より鎖錠片５２が突出し、該鎖錠片５２がハンドルに設けた係止溝に係止さることにより施錠され、シリンダ錠自体は鎖錠装置本体に取付けられるタイプと、図５（Ｂ）に示すようにシリンダ錠のロータ７５の底面に偏心軸７５ａが突設され、該偏心軸が横長孔７２ａに嵌入した鎖錠片７２が鎖錠装置本体に設けた係止溝に係止さることにより施錠され、シリンダ錠自体はハンドルに取付けられるタイプとが存在する。従来の鎖錠装置はシリンダ錠に応じた専用の収納空間を形成しており、タイプの異なるシリンダ錠を取り付けることはできない（例えば、特許文献１参照）。
このため、鎖錠装置の製造メーカは異なるタイプのシリンダ錠に対応させた鎖錠装置をそれぞれ製造する必要があり生産コストが高くなるという問題点があった。
また、ユーザにとっても鎖錠装置を取付けた後にシリンダ錠を変更しようとすると、鎖錠装置ごと取り替えなければならず、コストの負担を強いるものであった。
【０００３】
【特許文献１】特開平１１−２１０２７７号公報
【発明の開示】
【発明が解決しようとする課題】
【０００４】
本発明は前記のような問題点を解決して、ハンドルを起伏して操作することにより解錠・鎖錠を行う鎖錠装置おいて、上記したシリンダ錠のタイプに応じて鎖錠装置本体かハンドルかのいずれか一方を選択してシリンダ錠を取付けできる鎖錠装置を提供することである。
【課題を解決するための手段】
【０００５】
本発明の鎖錠装置は、ハンドルを起伏して操作することにより解錠・施錠を行う鎖錠装置において、鎖錠装置本体とこれに起伏自在に設けた前記ハンドルとの間にシリンダ錠を収納する錠収納空間を設けて、該錠収納空間のハンドル側にはシリンダ錠の鍵穴に臨む鍵挿通孔を設け、鎖錠装置本体に取付けるタイプのシリンダ錠を取り付ける取付部を鎖錠装置本体に設けるとともに、ハンドルに取付けるタイプのシリンダ錠を取り付ける取付部をハンドルに設けて、ハンドルに取付くタイプのシリンダ錠と鎖錠装置本体に取付くタイプのシリンダ錠のいずれか一方を対応する該取付部に取付けて、他方に設けた係止溝にシリンダ錠の鎖錠片を係脱できるものとしたことを特徴とするものである。
【発明の効果】
【０００６】
前記のような本発明は、鎖錠装置本体とこれに起伏自在に設けたハンドルとの間にシリンダ錠を収納する錠収納空間を設けて、該錠収納空間のハンドル側にはシリンダ錠の鍵穴に臨む鍵挿通孔を設け、鎖錠装置本体に取付けるタイプのシリンダ錠を取り付ける取付部を鎖錠装置本体に設けるとともに、ハンドルに取付けるタイプのシリンダ錠を取り付ける取付部をハンドルに設けて、ハンドルに取付くタイプのシリンダ錠と鎖錠装置本体に取付くタイプのシリンダ錠のいずれか一方を対応する該取付部に取付けて、他方に設けた係止溝にシリンダ錠の鎖錠片を係脱できるものとしたものであるから、一種類の鎖錠装置でタイプの異なる２種類のシリンダ錠を組み込むことが可能となり、鎖錠装置の製造メーカは、タイプの異なるシリンダ錠ごとに鎖錠装置をそれぞれ製造する必要がなく、生産コストを低く抑えることができる。また、ユーザにとっても鎖錠装置を取付けた後にシリンダ錠を変更する場合でも、鎖錠装置ごと取り替える必要がないので、安価に対応できるという利点がある。
【発明を実施するための最良の形態】
【０００７】
次に、本発明の好ましい実施の形態をリフト式ハンドルの鎖錠装置に基づき説明する。
１は鎖錠装置本体、２は該鎖錠装置本体１の前面を覆うようにして鎖錠装置本体１の前面上部に枢着されて起伏自在としたハンドルである。そして、ボックスの扉に鎖錠装置本体１もって取付けて、このハンドル１を起伏して操作することにより鎖錠装置本体１の裏面に設けた鎖錠部３をボックスに設けた係止部に係脱させて解錠・鎖錠を行うものである。
【０００８】
本発明においては、図４に示すように鎖錠装置本体１とこれに起伏自在に設けた前記ハンドル２との間にシリンダ錠を収納する錠収納空間３を設けてある。そして、図１、図２及び図３に示すように該錠収納空間４のハンドル側にはシリンダ錠の鍵穴に臨む鍵挿通孔２１を設けてあり、シリンダ錠のシリンダケースに設けた取付片に対応する取付部が鎖錠装置本体１とハンドル２の双方にそれぞれ形成してある。そして、錠収納空間４には鎖錠装置本体１に取付くタイプのシリンダ錠とハンドル２に取付くタイプのシリンダ錠のうちいずれか一方を選択して収納し、対応する取付部に取付けて、他方に設けた係止溝にシリンダ錠の鎖錠片を係脱できるものとしている。
【０００９】
すなわち、図１、図２に示すものは、シリンダ錠５のロータ５５上端周面より鎖錠片５２が突出し、該鎖錠片５２がハンドルに設けた係止溝８に係止さることにより施錠されるシリンダ錠５を鎖錠装置本体１に取付けたものであり、該シリンダ錠５はシリンダケース５０に一側面に突設した取付片５３である係止突起５３ａを後述するハンドルに取り付けるタイプのシリンダ錠７の鎖錠片７２が係脱する鎖錠装置本体１に設けた係止溝６に係止させ他側面に突設した取付ネジ挿通孔５４付の取付片５３を鎖錠装置本体１に設けた取付部であるボス部にネジ止めして取り付けて、シリンダケース５０の上端の切欠部から臨ませたロータ５５の上端周面に突設した鎖錠片５２を鍵穴５１から鍵を挿入したロータ５５を回動させてハンドル２に設けた係止溝８に係脱させて、ハンドル２の解錠・施錠を行うものである。
【００１０】
また、図３に示すものは、シリンダ錠７のロータ７５の底面に偏心軸７５ａが突設され、該偏心軸７５ａが横長孔７２ａに嵌入した鎖錠片７２が鎖錠装置本体１に設けた係止溝６に係止さることにより施錠されるシリンダ錠７をハンドル２に取り付けたものであり、該シリンダ錠７はシリンダケース７０に両側面に突設した取付ネジ挿通孔７４、７４付の取付片７３、７３をハンドル２に設けた取付部であるボス部にネジ止めして取付けて、シリンダケース７０の下端側面から出没自在とした鎖錠片７２に、該鎖錠片７２に設けた横長孔７２ａにロータ７５の下端に突設した偏心軸７５ａを嵌合して、鍵穴７１から鍵を挿入したロータ７５を回動による偏心軸７５ａの前後動により鎖錠片７２をシリンダケース７０から出没させて、鎖錠装置本体１に設けた係止溝６に係脱させて、ハンドル２の解錠・施錠を行うものである。
【００１１】
なお、この実施形態の鎖錠部３は、ハンドル２の中央に先端を枢着した鎖錠装置本体１に摺動自在に貫通させたシャフト３１の基端にリンクプレート３２、３２を枢着して、該リンクプレート３２、３２の先端に連結したスライドプレート３３、３３を鎖錠装置本体１の裏面に上下動自在に取付けて、ハンドル２を起伏自在とすることにより、スライドプレート３３、３３を上下動させて、スライドプレート３３、３３に取付けたロッド棒をボックスの係止部に係脱させて解錠・鎖錠を行うものである。
【００１２】
このように構成されたものは、一種類の鎖錠装置にタイプの異なる２種類のシリンダ錠を組み込むことが可能となり、鎖錠装置の製造メーカは、タイプの異なるシリンダ錠ごとに鎖錠装置をそれぞれ製造する必要がなく、生産コストを低く抑えることができる。また、ユーザにとっても鎖錠装置を取付けた後にシリンダ錠を変更する場合でも、鎖錠装置ごと取り替える必要がないので、安価に対応できるという利点がある。
【００１３】
また、シリンダ錠はシリンダケースに一体に設けた取付片をもって鎖錠装置本体１又はハンドル２に取付けするものであるから、タンブラー数の異なる数種のシリンダ錠であっても、シリンダケースの内部形状をタンブラーに対応させたうえ取付片を鎖錠装置本体及びハンドルに予め設けた取付用の溝部、ボス部に対応して設けることにより交換ができるものである。
【００１４】
また、前記実施形態はリフト式ハンドルの鎖錠装置により説明したが、平面ハンドルのようにハンドルを引き上げた後にハンドル軸を回動させた鎖錠板を係止部に係脱させる鎖錠部をもつものであってもよい。
【図面の簡単な説明】
【００１５】
【図１】鎖錠装置本体にシリンダ錠を取付けた図であり、（Ａ）は断面図、（Ｂ）はこれに使用するシリンダ錠を示す斜視図。
【図２】鎖錠装置本体にシリンダ錠を取付けた斜視図。
【図３】ハンドルにシリンダ錠を取付けた図であり、（Ａ）は断面図、（Ｂ）はこれに使用するシリンダ錠を示す斜視図。
【図４】シリンダ錠取付前のハンドルを伏倒させた状態の断面図。
【図５】シリンダ錠のタイプを示す図であり、（Ａ）は鎖錠装置本体に取り付けるシリンダ錠の斜視図、（Ｂ）はハンドルに取り付けるシリンダ錠の斜視図。
【符号の説明】
【００１６】
１  鎖錠装置本体
２  ハンドル
４  錠収納空間
５  シリンダ錠
50  シリンダケース
51  鍵穴
52  鎖錠片
53  取付片
６  係止溝
７  シリンダ錠
70  シリンダケース
71  鍵穴
72  鎖錠片
73  取付片
74  取付ネジ挿通孔
75  ロータ
８  係止溝
【図１】
2006233694.tif 000003
【図２】
2006233694.tif 000004
【図３】
2006233694.tif 000005
【図４】
2006233694.tif 000006
【図５】
2006233694.tif 000007